(57)【特許請求の範囲】
【請求項１】
型枠内に突起または突条による凸部を形成し、この凸部を石積形状の目地用の突条に形成する位置と合致させるとともに、凸部の先端に植物体を植込んだ粘土状の土砂または土砂代替物を付着させたことを特徴とする緑化コンクリート体用型枠。
【請求項２】
土砂または土砂代替物に植込む植物体は、型枠内に形成した凸部に接触させ、その外側を土砂または土砂代替物で覆うようにする請求項１記載の緑化コンクリート体用型枠。
【請求項３】
型枠内に突起または突条による凸部を形成し、この凸部を石積形状の目地用の突条に形成する位置と合致させるとともに、凸部の先端に植物体を植込んだ粘土状の土砂または土砂代替物を付着させた緑化コンクリート体用型枠を使用し、型枠内にコンクリート打設後、脱型時に前記凸部により形成した溝または孔の底部に植生材として植物体を植込んだ粘土状の土砂または土砂代替物を残存させたことを特徴とする緑化コンクリート体用型枠を用いた緑化コンクリート体の製造方法。
【請求項４】
土砂または土砂代替物に植込む植物体は、型枠内に形成した凸部に接触させ、その外側を土砂または土砂代替物で覆うようにする請求項３記載の緑化コンクリート体用型枠を用いた緑化コンクリート体の製造方法。
【発明の詳細な説明】
【０００１】
【発明の属する技術分野】
本発明は、その表面に、藻類、コケ類・シダ類、草本類等を育成させることができる緑化コンクリート体を得るのに適した緑化コンクリート体用型枠およびそれを用いた緑化コンクリート体の製造方法に関する。
【０００２】
【従来の技術】
従来、コンクリートの壁面を緑化する方法にはツタ植物などを這わす方法があるが、育成伸長までに時間がかかり、また、所望の場所に正確に這わすことが難しい。
【０００３】
これに対して特公平６−６８１７１号公報では、緑化基材を混入した緑化基盤材を拘束体で拘束形成して成形基盤材を型枠に取付け、該型枠内にコンクリートを打設して前記成形基盤材を固定することで、コンクリート構造体が形成された状態でその表面に成形基盤材が現れるようになるものが提案されている。
【０００４】
また、特開平７−２０７６４３号公報では、生コンクリートを打設して構造物本体を設け、この生コンクリートが硬化する前にその表面に植物の種子、肥料、土壌及び保水材を混合してなる植生材を取着した後、植生材及び生コンクリートの表面を棒等の尖ったもので突きまぜて多数の凹部を有する植裁層を形成するとともに、植裁層の凹部に植生材を充填すること、もしくは、生コンクリートが硬化する前にその表面を棒等の尖ったもので突きまぜて多数の凹部を有する植裁層を形成し、この植裁層に植物の種子、肥料、土壌及び保水材を混合してなる植生材を取着したことを特徴とする植裁層を備えたコンクリート製構造物の製法が示されている。
【０００５】
【発明が解決しようとする課題】
しかし、前記特公平６−６８１７１号公報では、緑化基盤材を拘束する拘束体は袋体、網体、枠体、箱体であり、これが型枠を脱型した際にコンクリート構造体の表面に大きく露出して、デザイン性が制限されてしまう。特に、コンクリート構造体をパネルとして例えば石積のような形状を得ようとする場合はこの拘束体の存在が障害となる。
【０００６】
一方、特開平７−２０７６４３号公報のものでは、生コンクリートが硬化する前にその表面を棒等の尖ったもので突きまぜて多数の凹部を有する植裁層を形成するもので、凹部が深くなればなるほど植生材の充填や取着が困難で、安定した植生基盤を確保し難い。
【０００７】
本発明の目的は前記従来例の不都合を解消し、石積のような要望の多い形状や色調を確保できるとともに、簡単かつ安定した状態で植生材を設置して緑化が可能な緑化コンクリート体を得ることができる緑化コンクリート体用型枠およびそれを用いた緑化コンクリート体の製造方法を提供することにある。
【０００８】
【課題を解決するための手段】
本発明は前記目的を達成するため、緑化コンクリート体用型枠としては、型枠内に突起または突条による凸部を形成し、この凸部を石積形状の目地用の突条に形成する位置と合致させるとともに、凸部の先端に植物体を植込んだ粘土状の土砂または土砂代替物を付着させたこと、および、土砂または土砂代替物に植込む植物体は、型枠内に形成した凸部に接触させ、その外側を土砂または土砂代替物で覆うようにすることを要旨とするものである。
【０００９】
緑化コンクリート体用型枠を用いた緑化コンクリート体の製造方法としては、型枠内に突起または突条による凸部を形成し、この凸部を石積形状の目地用の突条に形成する位置と合致させるとともに、凸部の先端に植物体を植込んだ粘土状の土砂または土砂代替物を付着させた緑化コンクリート体用型枠を使用し、型枠内にコンクリート打設後、脱型時に前記凸部により形成した溝または孔の底部に植生材として植物体を植込んだ粘土状の土砂または土砂代替物を残存させたこと、および、土砂または土砂代替物に植込む植物体は、その外側を土砂または土砂代替物で覆うようにすることを要旨とするものである。
【００１０】
本発明によれば、型枠内にコンクリート打設後、脱型時に前記凸部により形成した溝または孔の底部に植物体を植込んだ粘土状の土砂または土砂代替物を残存させることで、溝または孔の底部から植物が育成し、これが外側に出てコンクリート体の表面を覆うようになる。なお、脱型時には植物体を植込んだ粘土状の土砂または土砂代替物はコンクリート体の表面に露出することなく、奥側に納まるのでコンクリート体のデザイン性に与える影響は少ない。
【００１１】
さらに、要望の多い石積のようなデザインを確保する場合に型枠内に石積形状の目地用の突条を形成し、凸部である突起または突条はこの目地用の突条に形成する位置と合致させることで、目地に沿って植物がコンクリート体の表面に現れ、自然に近い状態を演出できる。
【００１２】
本発明によれば、前記作用に加えて、土砂または土砂代替物に植込む植物体は、型枠内に形成した凸部に接触させ、その外側を土砂または土砂代替物で覆うようにしたので、コンクリート打設時でもコンクリートに触れることなく、アルカリ性物質に晒されるなどコンクリートの影響を受けないで済む。
【００１３】
【発明の実施の形態】
以下、図面について本発明の実施の形態を詳細に説明する。図１は本発明の緑化コンクリート体用型枠およびそれを用いた緑化コンクリート体の製造方法の第１実施形態を示す縦断側面図で、図中１は型枠、２はこの型枠１で形成されるパネル状のコンクリート体を示す。
【００１４】
コンクリート体２には石積のような目地３を形成すべく型枠１は目地用の突条４を底面に設けているが、さらに、コンクリート体２に溝または孔６を形成すべく底面から凸部として、突起５や突条を形成した。突起５や突条はこの目地用の突条４に合致させ、目地用の突条４の上にさらに伸びるものとしてもよい。
【００１５】
このように型枠１内に形成した突起５や突条の先端に、場合によっては目地用の突条４の先端にも、植生材として植物の種子や切片（植物体）７を植込んだ粘土状の土砂８または土砂代替物を付着させる。粘土状の土砂８は土砂を粘土状にしたもの、土砂代替物は人工培養土と肥料、あるいは不織布、紙、スポンジ等との混合物を粘土状にしたものであり、突条４や突起５の先端ではこれらが先端を包み膨出するように取り付ける。（図２参照）
【００１６】
植物体の一例である植物の種子や切片７は、特に限定はないが、例えば河川敷等に自生する草花、クローバー、バーミューダグラス、ケンタッキーブルーグラス、クリーピングレッドフェスク、ハイラントベントグラス、サファリ等をはじめとして種々選択でき、異なる種子を混合させても良い。なお、種子については、シダ類やコケ類の胞子とすることもできる。また、植物の切片として栄養体（生活体）の一部、例えば地下茎やほふく枝（ストロン）を用いることができる。なお、本実施の形態は植物体として種子や切片７を植込むが、これに代えて球根やむかご等とすることも可能である。
【００１７】
粘土状の土砂８または土砂代替物はシート状に成形し、その片側面から前記植物の種子や切片７を植込み、これを型枠１内に形成した突条４や突起５の先端に取り付ける。その際、植物の種子や切片７は突条４や突起５に接触させ、その外側を土砂８または土砂代替物で完全に覆うようにする。なお、植物の種子や切片（植物体）７の植込みにあたり肥料や保水材等も一緒に混入してもよい。
【００１８】
このようにして、型枠１内にコンクリートを打設し、これが硬化後、図３に示すように型枠１から脱型する時には、前記突起５または突条により形成した溝または孔６の底部に植物の種子や切片（植物体）７を植込んだ粘土状の土砂８または土砂代替物が残される。
【００１９】
前記のように植物の種子や切片７は突条４や突起５に直接接触させ、その外側を土砂８または土砂代替物で完全に覆われるようにすることにより、打設するコンクリートは土砂８または土砂代替物で隔離され植物の種子や切片７に触れることはない。
【００２０】
図４に脱型後のコンクリート体２を示すが、型枠１を除いた場合に、突起５または突条により形成した溝または孔６の底部に植物の種子や切片（植物体）７を植込んだ粘土状の土砂８または土砂代替物が存在し、しかも、植物の種子や切片７はこの溝または孔６に面している。
【００２１】
このようなコンクリート体２を擁壁として、もしくは法面の土留壁等として設置した場合に植物の種子や切片（植物体）７は徐々に溝または孔６の開口に向かって生育をはじめ、図５、図６に示すように溝または孔６の外側に出て、コンクリート体２の表面を覆う。
【００２２】
なお、型枠１は底面に設けた突条４によりコンクリート体２には石積のような目地３が形成され、前記溝または孔６はこの目地３と合致させたので、あたかも石積の目地３から植物が生えるような自然の感じに近いものとすることができる。
【００２３】
さらに、コンクリート体２の表面には目地３に合わせて自然石等の化粧用材を貼付けるようにしてもよい。
【００２４】
図７、図８は本発明の第２実施形態、第３実施形態を示すもので、コンクリート体２に溝または孔６を形成すべく、型枠１の底面に形成する凸部としては、これを円弧状の凸部９としてもよく、その表面に植生材として植物の種子や切片（植物体）７を植込んだ粘土状の土砂８または土砂代替物を付着させた。
【００２５】
また図８のように、図７の場合よりも、円弧状の凸部９の山の数を多いものとすることもできる。なお、図７、図８のいずれの実施形態の場合でも、粘土状の土砂８または土砂代替物を円弧状の凸部９に付着させた後、これら粘土状の土砂８または土砂代替物がコンクリート体２から脱落するのを防止するため、粘土状の土砂８または土砂代替物の表面（打設コンクリートと接する面）には縞状の溝等を形成して粗面としておくことが望ましい。
【００２６】
【発明の効果】
以上述べたように本発明の緑化コンクリート体用型枠およびそれを用いた緑化コンクリート体の製造方法は、製造する緑化コンクリート体は、石積のような要望の多い形状や色調を確保できるとともに、簡単かつ安定した状態で植生材を設置して緑化が可能なものである。
【図面の簡単な説明】
【図１】  本発明の緑化コンクリート体用型枠およびそれを用いた緑化コンクリート体の製造方法の第１実施形態を示す成形中の縦断側面図である。
【図２】  本発明の緑化コンクリート体用型枠の要部の縦断側面図である。
【図３】  本発明の緑化コンクリート体用型枠およびそれを用いた緑化コンクリート体の製造方法の第１実施形態を示す第１実施形態を示す脱型時の縦断側面図である。
【図４】  本発明により成形された緑化コンクリート体の第１実施形態を示す脱型後の縦断側面図である。
【図５】  本発明により成形された緑化コンクリート体の第１実施形態を示す設置状態の縦断側面図である。
【図６】  本発明により成形された緑化コンクリート体の第１実施形態を示す設置状態の正面図である。
【図７】  本発明の緑化コンクリート体用型枠およびそれを用いた緑化コンクリート体の製造方法の第２実施形態を示す成形中の縦断側面図である。
【図８】  本発明の緑化コンクリート体用型枠およびそれを用いた緑化コンクリート体の製造方法の第３実施形態を示す成形中の縦断側面図である。
【符号の説明】
１…型枠                              ２…コンクリート体
３…目地                              ４…目地用の突条
５…突起                              ６…溝または孔
７…植物の種子や切片（植物体）        ８…粘土状の土砂
９…円弧状の凸部
【図１】
0004094330.tif 000002
【図２】
0004094330.tif 000003
【図３】
0004094330.tif 000004
【図４】
0004094330.tif 000005
【図５】
0004094330.tif 000006
【図６】
0004094330.tif 000007
【図７】
0004094330.tif 000008
【図８】
0004094330.tif 000009